(57)【要約】【課題】  図面を含む文献の情報を表示する際に、ユーザの利便性を向上させること。【解決手段】  代表図面と文献識別情報（１２ａ）とを表示する文献情報表示画像（１１）を情報表示画面に表示する文献情報表示手段と、前記文献に含まれる全ての図面を一覧表示するための一覧表示入力がされたか否かを判別する一覧表示入力判別手段と、前記文献に含まれる全ての図面を一覧表示する図面一覧表示画像（２１）を前記情報表示画面に表示する一覧表示画像表示手段と、前記図面一覧表示画像に表示された全ての図面の中のいずれか一つの図面が選択されたか否かを判別する図面選択判別手段と、選択された前記図面を拡大表示する拡大表示画像（３１）を前記情報表示画面に表示する拡大表示画像表示手段とを備えた文献情報表示システム。【選択図】  図６
2006260175.tif 000002
【特許請求の範囲】
【請求項１】
下記の構成要件（Ａ01）〜（Ａ06）を備えたことを特徴とする文献情報表示システム、
（Ａ01）文献を識別する文献識別情報と、予め設定された特定の図面である代表図面を含む１または複数の図面と、を有する文献の情報を蓄積する文献情報蓄積手段、
（Ａ02）前記代表図面と前記文献識別情報とを少なくとも表示する文献情報表示画像を情報表示画面に表示する文献情報表示手段、
（Ａ03）前記文献に含まれる全ての図面を一覧表示するための一覧表示入力がされたか否かを判別する一覧表示入力判別手段、
（Ａ04）前記文献に含まれる全ての図面を一覧表示する図面一覧表示画像を前記情報表示画面に表示する一覧表示画像表示手段、
（Ａ05）前記図面一覧表示画像に表示された全ての図面の中のいずれか一つの図面が選択されたか否かを判別する図面選択判別手段、
（Ａ06）選択された前記図面を拡大表示する拡大表示画像を前記情報表示画面に表示する拡大表示画像表示手段。
【請求項２】
下記の構成要件（Ａ07）を備えたことを特徴とする請求項１記載の文献情報表示システム、
（Ａ07）前記一覧表示入力を行うための一覧表示アイコンを有する前記文献情報表示画像。
【請求項３】
下記の構成要件（Ａ08）を備えたことを特徴とする請求項１または２記載の文献情報表示システム、
（Ａ08）前記文献情報記憶手段に蓄積された文献毎に前記文献識別情報に基づいて分類し、前記文献の蓄積先を特定する蓄積先特定情報を記憶する蓄積先特定情報記憶手段。
【請求項４】
下記の構成要件（Ａ09），（Ａ010）を備えたことを特徴とする請求項３記載の文献情報表示システム、
（Ａ09）前記蓄積先特定情報記憶手段に記憶された蓄積先特定情報に基づいて、文献の検索を行う文献検索手段、
（Ａ010）前記文献検索手段により検索された文献の情報を表示する前記文献情報表示画像。
【請求項５】
下記の構成要件（Ａ011）を備えたことを特徴とする請求項１ないし４のいずれか記載の文献情報表示システム、
（Ａ011）工業所有権関係の文献の情報を記憶する前記文献情報蓄積手段。
【請求項６】
下記の構成要件（Ａ01）〜（Ａ06）を備えたことを特徴とする文献情報表示装置、
（Ａ01）文献を識別する文献識別情報と、予め設定された特定の図面である代表図面を含む１または複数の図面と、を有する文献の情報を蓄積する文献情報蓄積手段、
（Ａ02）前記代表図面と前記文献識別情報とを少なくとも表示する文献情報表示画像を情報表示画面に表示する文献情報表示手段、
（Ａ03）前記文献に含まれる全ての図面を一覧表示するための一覧表示入力がされたか否かを判別する一覧表示入力判別手段、
（Ａ04）前記文献に含まれる全ての図面を一覧表示する図面一覧表示画像を前記情報表示画面に表示する一覧表示画像表示手段、
（Ａ05）前記図面一覧表示画像に表示された全ての図面の中のいずれか一つの図面が選択されたか否かを判別する図面選択判別手段、
（Ａ06）選択された前記図面を拡大表示する拡大表示画像を前記情報表示画面に表示する拡大表示画像表示手段。
【請求項７】
コンピュータを、
文献を識別する文献識別情報と、予め設定された特定の図面である代表図面を含む１または複数の図面と、を有する文献の情報を蓄積する文献情報蓄積手段、
前記代表図面と前記文献識別情報とを少なくとも表示する文献情報表示画像を情報表示画面に表示する文献情報表示手段、
前記文献に含まれる全ての図面を一覧表示するための一覧表示入力がされたか否かを判別する一覧表示入力判別手段、
前記文献に含まれる全ての図面を一覧表示する図面一覧表示画像を前記情報表示画面に表示する一覧表示画像表示手段、
前記図面一覧表示画像に表示された全ての図面の中のいずれか一つの図面が選択されたか否かを判別する図面選択判別手段、
選択された前記図面を拡大表示する拡大表示画像を前記情報表示画面に表示する拡大表示画像表示手段、
として機能させるための文献情報表示プログラム。
【請求項８】
下記のステップ（Ｂ01）〜（Ｂ05）を実行することを特徴とする文献情報表示方法、
（Ｂ01）文献を識別する文献識別情報と、予め設定された特定の図面である代表図面とを少なくとも表示する文献情報表示画像を情報表示画面に表示する文献情報表示ステップ、
（Ｂ02）前記文献に含まれる全ての図面を一覧表示するための一覧表示入力がされたか否かを判別する一覧表示入力判別ステップ、
（Ｂ03）前記文献に含まれる全ての図面を一覧表示する図面一覧表示画像を前記情報表示画面に表示する一覧表示画像表示ステップ、
（Ｂ04）前記図面一覧表示画像に表示された全ての図面の中のいずれか一つの図面が選択されたか否かを判別する図面選択判別ステップ、
（Ｂ05）選択された前記図面を拡大表示する拡大表示画像を前記情報表示画面に表示する拡大表示画像表示ステップ。
【発明の詳細な説明】
【技術分野】
【０００１】
本発明は、特許公報等の文献のデータを情報表示画面に表示する文献情報表示システム、文献情報表示装置、文献情報表示プログラムおよび文献情報表示方法に関し、１または複数の図面データを含む文献のデータを情報表示画面に表示する文献情報表示システム、文献情報表示装置、文献情報表示プログラムおよび文献情報表示方法に関する。
【背景技術】
【０００２】
近年、特許出願や実用新案登録出願に関する特許公開公報や特許公報、商標登録出願に関する商標登録公報等の文献のデータを蓄積し、管理するデータベースは進化しており、出願番号や整理番号等を使用して検索し、検索結果として文字情報を表示するのみならず、画像情報も表示できるようになっている。前記データベースに蓄積されるデータのデータ量は、文献の内容によって様々であるが、文献に図面が含まれる場合、図面のデータ量が大きい。したがって、図面のデータを前記データベースに保持すると、大容量の記憶媒体が必要となるために経済性の点で望ましくなく、また、データベースの容量が大きくなるのでデータのバックアップ等の管理に関しても不利となる。
【０００３】
このような問題に対応する技術として、下記の従来技術（Ｊ01）が公知である。
（Ｊ01）特許文献１（特開平１１−３９３４５号公報）、特許文献２（特開平１１−１９５０６０号公報）記載の技術
特許文献１、２には、手続文書のファイル（文献のデータ）の位置情報とファイル名とを、各文書のリンク先として特許管理データベースに登録し、検索結果として当該レコードが読み出された時に、リンク先のファイルを読み出して表示する技術が記載されている。
【０００４】
【特許文献１】特開平１１−３９３４５号公報
【特許文献２】特開平１１−１９５０６０号公報
【発明の開示】
【発明が解決しようとする課題】
【０００５】
前記従来技術（Ｊ01）では、１件の出願書類データには、多くの場合、文字情報である明細書のＨＴＭＬ（Hyper  Text  Mark-up  Language）データと、ＨＴＭＬデータ中に記載された図面の画像データが含まれる。このようなＨＴＭＬデータ閲覧ソフトウェア（ブラウザ等）でリンク先のＨＴＭＬデータを表示させると、明細書と図面とが連続して表示される。
このときに、長文の明細書では所望の図面を参照するには、スクロール操作（巻物を巻くように表示内容を上下左右に移動させる操作）を繰り返す必要があり、ユーザにとって不便である。特に、図面の数は、多い時には数十図にもなることがあるため、所望の図面を表示するにはスクロール操作を多く繰り返さないといけなくなるという問題がある。
【０００６】
本発明は、前述の事情に鑑み、次の記載内容（Ｏ01）を技術的課題とする。
（Ｏ01）図面を含む文献の情報を表示する際に、ユーザの利便性を向上させること。
【課題を解決するための手段】
【０００７】
（本発明）
（第１発明）
前記技術的課題を解決するために、第１発明の文献情報表示システムは、下記の構成要件（Ａ01）〜（Ａ06）を備えたことを特徴とする。
（Ａ01）文献を識別する文献識別情報と、予め設定された特定の図面である代表図面を含む１または複数の図面と、を有する文献の情報を蓄積する文献情報蓄積手段、
（Ａ02）前記代表図面と前記文献識別情報とを少なくとも表示する文献情報表示画像を情報表示画面に表示する文献情報表示手段、
（Ａ03）前記文献に含まれる全ての図面を一覧表示するための一覧表示入力がされたか否かを判別する一覧表示入力判別手段、
（Ａ04）前記文献に含まれる全ての図面を一覧表示する図面一覧表示画像を前記情報表示画面に表示する一覧表示画像表示手段、
（Ａ05）前記図面一覧表示画像に表示された全ての図面の中のいずれか一つの図面が選択されたか否かを判別する図面選択判別手段、
（Ａ06）選択された前記図面を拡大表示する拡大表示画像を前記情報表示画面に表示する拡大表示画像表示手段。
【０００８】
（第１発明の作用）
前記構成要件（Ａ01）〜（Ａ06）を備えた第１発明の文献情報表示システムでは、文献情報蓄積手段は、文献を識別する文献識別情報と、予め設定された特定の図面である代表図面を含む１または複数の図面と、を有する文献の情報を蓄積する。文献情報表示手段は、少なくとも前記代表図面と前記文献識別情報とを表示する文献情報表示画像を情報表示画面に表示する。一覧表示入力判別手段は、前記文献に含まれる全ての図面を一覧表示するための一覧表示入力がされたか否かを判別する。一覧表示画像表示手段は、前記文献に含まれる全ての図面を一覧表示する図面一覧表示画像を前記情報表示画面に表示する。図面選択判別手段は、前記図面一覧表示画像に表示された全ての図面の中のいずれか一つの図面が選択されたか否かを判別する。拡大表示画像表示手段は、選択された前記図面を拡大表示する拡大表示画像を前記情報表示画面に表示する。
【０００９】
したがって、第１発明の文献情報表示システムでは、前記文献に含まれる全ての図面を一覧表示できるので、容易に所望の図面を参照できる。この結果、ユーザの利便性を向上させることができる。また、一覧表示された図面を選択すると、拡大表示されるので、拡大された図面の内容を容易に参照することができる。
【００１０】
（第１発明の形態１）
第１発明の形態１の文献情報表示システムは、前記第１発明の文献情報表示システムにおいて、下記の構成要件（Ａ07）を備えたことを特徴とする。
（Ａ07）前記一覧表示入力を行うための一覧表示アイコンを有する前記文献情報表示画像。
（第１発明の形態１の作用）
前記構成要件（Ａ07）を備えた第１発明の形態１の文献情報表示システムでは、前記文献情報表示画像は、前記一覧表示入力を行うための一覧表示アイコンを有するので、ユーザが一覧表示入力を容易に行うことができる。
【００１１】
（第１発明の形態２）
第１発明の形態２の文献情報表示システムは、前記第１発明または第１発明の形態１の文献情報表示システムにおいて、下記の構成要件（Ａ08）を備えたことを特徴とする。
（Ａ08）前記文献情報記憶手段に蓄積された文献毎に前記文献識別情報に基づいて分類し、前記文献の蓄積先を特定する蓄積先特定情報を記憶する蓄積先特定情報記憶手段。
（第１発明の形態２の作用）
前記構成要件（Ａ08）を備えた第１発明の形態２の文献情報表示システムでは、蓄積先特定情報記憶手段は、前記文献情報記憶手段に蓄積された文献毎に前記文献識別情報に基づいて分類し、前記文献の蓄積先を特定する蓄積先特定情報を記憶する。したがって、第１発明の形態２の文献情報表示システムは、文献の情報ではなく、文献の蓄積先特定情報に基づいて、様々な処理を行うことができるので、処理速度を向上させることができ、記録容量の節約ができる。
【００１２】
（第１発明の形態３）
第１発明の形態３の文献情報表示システムは、前記第１発明の形態２の文献情報表示システムにおいて、下記の構成要件（Ａ09），（Ａ010）を備えたことを特徴とする。
（Ａ09）前記蓄積先特定情報記憶手段に記憶された蓄積先特定情報に基づいて、文献の検索を行う文献検索手段、
（Ａ010）前記文献検索手段により検索された文献の情報を表示する前記文献情報表示画像。
（第１発明の形態３の作用）
前記構成要件（Ａ09），（Ａ010）を備えた第１発明の形態３の文献情報表示システムでは、文献検索手段により、前記蓄積先特定情報記憶手段に記憶された蓄積先特定情報に基づいて、文献の検索を行うことができる。前記文献情報表示画像には、前記文献検索手段により検索された文献の情報が表示される。
【００１３】
（第１発明の形態４）
第１発明の形態４の文献情報表示システムは、前記第１発明および第１発明の形態１〜３のいずれかにおいて、下記の構成要件（Ａ011）を備えたことを特徴とする。
（Ａ011）工業所有権関係の文献の情報を記憶する前記文献情報蓄積手段。
（第１発明の形態４の作用）
前記構成要件（Ａ011）を備えた第１発明の形態４の文献情報表示システムでは、前記文献情報蓄積手段は、工業所有権関係の文献の情報を記憶する。したがって、工業所有権関係の文献の図面を参照する際の利便性を向上できる。
【００１４】
（第２発明）
前記技術的課題を解決するために、第２発明の文献情報表示装置は、下記の構成要件（Ａ01）〜（Ａ06）を備えたことを特徴とする。
（Ａ01）文献を識別する文献識別情報と、予め設定された特定の図面である代表図面を含む１または複数の図面と、を有する文献の情報を蓄積する文献情報蓄積手段、
（Ａ02）前記代表図面と前記文献識別情報とを少なくとも表示する文献情報表示画像を情報表示画面に表示する文献情報表示手段、
（Ａ03）前記文献に含まれる全ての図面を一覧表示するための一覧表示入力がされたか否かを判別する一覧表示入力判別手段、
（Ａ04）前記文献に含まれる全ての図面を一覧表示する図面一覧表示画像を前記情報表示画面に表示する一覧表示画像表示手段、
（Ａ05）前記図面一覧表示画像に表示された全ての図面の中のいずれか一つの図面が選択されたか否かを判別する図面選択判別手段、
（Ａ06）選択された前記図面を拡大表示する拡大表示画像を前記情報表示画面に表示する拡大表示画像表示手段。
【００１５】
（第２発明の作用）
前記構成要件（Ａ01）〜（Ａ06）を備えた第２発明の文献情報表示装置では、文献情報蓄積手段は、文献を識別する文献識別情報と、予め設定された特定の図面である代表図面を含む１または複数の図面と、を有する文献の情報を蓄積する。文献情報表示手段は、少なくとも前記代表図面と前記文献識別情報とを表示する文献情報表示画像を情報表示画面に表示する。一覧表示入力判別手段は、前記文献に含まれる全ての図面を一覧表示するための一覧表示入力がされたか否かを判別する。一覧表示画像表示手段は、前記文献に含まれる全ての図面を一覧表示する図面一覧表示画像を前記情報表示画面に表示する。図面選択判別手段は、前記図面一覧表示画像に表示された全ての図面の中のいずれか一つの図面が選択されたか否かを判別する。拡大表示画像表示手段は、選択された前記図面を拡大表示する拡大表示画像を前記情報表示画面に表示する。
【００１６】
したがって、第２発明の文献情報表示装置では、前記文献に含まれる全ての図面を一覧表示できるので、容易に所望の図面を参照できる。この結果、ユーザの利便性を向上させることができる。また、一覧表示された図面を選択すると、拡大表示されるので、拡大された図面の内容を容易に参照することができる。
【００１７】
（第３発明）
前記技術的課題を解決するために、第３発明の文献情報表示プログラムは、
コンピュータを、
文献を識別する文献識別情報と、予め設定された特定の図面である代表図面を含む１または複数の図面と、を有する文献の情報を蓄積する文献情報蓄積手段、
前記代表図面と前記文献識別情報とを少なくとも表示する文献情報表示画像を情報表示画面に表示する文献情報表示手段、
前記文献に含まれる全ての図面を一覧表示するための一覧表示入力がされたか否かを判別する一覧表示入力判別手段、
前記文献に含まれる全ての図面を一覧表示する図面一覧表示画像を前記情報表示画面に表示する一覧表示画像表示手段、
前記図面一覧表示画像に表示された全ての図面の中のいずれか一つの図面が選択されたか否かを判別する図面選択判別手段、
選択された前記図面を拡大表示する拡大表示画像を前記情報表示画面に表示する拡大表示画像表示手段、
として機能させることを特徴とする。
【００１８】
（第３発明の作用）
前記構成要件を備えた第３発明の文献情報表示プログラムでは、文献情報蓄積手段は、文献を識別する文献識別情報と、予め設定された特定の図面である代表図面を含む１または複数の図面と、を有する文献の情報を蓄積する。文献情報表示手段は、少なくとも前記代表図面と前記文献識別情報とを表示する文献情報表示画像を情報表示画面に表示する。一覧表示入力判別手段は、前記文献に含まれる全ての図面を一覧表示するための一覧表示入力がされたか否かを判別する。一覧表示画像表示手段は、前記文献に含まれる全ての図面を一覧表示する図面一覧表示画像を前記情報表示画面に表示する。図面選択判別手段は、前記図面一覧表示画像に表示された全ての図面の中のいずれか一つの図面が選択されたか否かを判別する。拡大表示画像表示手段は、選択された前記図面を拡大表示する拡大表示画像を前記情報表示画面に表示する。
【００１９】
したがって、第３発明の文献情報表示装置では、前記文献に含まれる全ての図面を一覧表示できるので、容易に所望の図面を参照できる。この結果、ユーザの利便性を向上させることができる。また、一覧表示された図面を選択すると、拡大表示されるので、拡大された図面の内容を容易に参照することができる。
【００２０】
（第４発明）
前記技術的課題を解決するために、第４発明の文献情報表示方法は、下記のステップ（Ｂ01）〜（Ｂ05）を実行することを特徴とする。
（Ｂ01）文献を識別する文献識別情報と、予め設定された特定の図面である代表図面とを少なくとも表示する文献情報表示画像を情報表示画面に表示する文献情報表示ステップ、
（Ｂ02）前記文献に含まれる全ての図面を一覧表示するための一覧表示入力がされたか否かを判別する一覧表示入力判別ステップ、
（Ｂ03）前記文献に含まれる全ての図面を一覧表示する図面一覧表示画像を前記情報表示画面に表示する一覧表示画像表示ステップ、
（Ｂ04）前記図面一覧表示画像に表示された全ての図面の中のいずれか一つの図面が選択されたか否かを判別する図面選択判別ステップ、
（Ｂ05）選択された前記図面を拡大表示する拡大表示画像を前記情報表示画面に表示する拡大表示画像表示ステップ。
【００２１】
（第４発明の作用）
前記ステップ（Ｂ01）〜（Ｂ05）を実行する第４発明の文献情報表示方法では、文献情報表示ステップにおいて、文献を識別する文献識別情報と、予め設定された特定の図面である代表図面とを表示する文献情報表示画像が情報表示画面に表示される。一覧表示入力判別ステップにおいて、前記文献に含まれる全ての図面を一覧表示するための一覧表示入力がされたか否かが判別される。一覧表示画像表示ステップにおいて、前記文献に含まれる全ての図面を一覧表示する図面一覧表示画像が前記情報表示画面に表示される。図面選択判別ステップにおいて、前記図面一覧表示画像に表示された全ての図面の中のいずれか一つの図面が選択されたか否かが判別される。拡大表示画像表示ステップにおいて、選択された前記図面を拡大表示する拡大表示画像が前記情報表示画面に表示される。
【００２２】
したがって、第４発明の文献情報表示方法では、前記文献に含まれる全ての図面を一覧表示できるので、容易に所望の図面を参照できる。この結果、ユーザの利便性を向上させることができる。また、一覧表示された図面を選択すると、拡大表示されるので、拡大された図面の内容を容易に参照することができる。
【発明の効果】
【００２３】
前述の本発明は、下記の効果（Ｅ01）を奏する。
（Ｅ01）図面を含む文献の情報を表示する際に、ユーザの利便性を向上させることができる。
【発明を実施するための最良の形態】
【００２４】
次に図面を参照しながら、本発明の実施の形態の具体例（実施例）を説明するが、本発明は以下の実施例に限定されるものではない。
【実施例１】
【００２５】
図１は、本発明の実施例１の技術文献情報表示システムを構成する文献情報表示装置の機能をブロック図（機能ブロック図）で示した図である。
図１において、実施例１の文献情報表示システムとしての文献管理システムは、ユーザが操作可能な文献情報表示装置としてのパーソナルコンピュータＰＣを有する。前記パーソナルコンピュータＰＣは、ディスプレイ（情報表示画面）１、キーボード（入力装置）２、マウス（入力装置）３、図示しないＨＤドライブ（ハードディスクドライブ）、ＣＤドライブ（コンパクトディスクドライブ）、およびＦＤドライブ（フレキシブルディスクドライブ）等により構成されている。
【００２６】
（パーソナルコンピュータＰＣの機能の説明）
図１において、パーソナルコンピュータＰＣは、外部との信号の入出力および入出力信号レベルの調節等を行うＩ／Ｏ（入出力インターフェース）、必要な起動処理を行うためのプログラムおよびデータ等が記憶されたＲＯＭ（リードオンリーメモリ、記録媒体）、必要なデータ及びプログラムを一時的に記憶するためのＲＡＭ（ランダムアクセスメモリ、記録媒体）、ＲＯＭ等に記憶された起動プログラムに応じた処理を行うＣＰＵ（中央演算処理装置）、ならびにクロック発振器等を有しており、前記ＲＯＭ及びＲＡＭ等に記憶されたプログラムを実行することにより種々の機能を実現することができる。
【００２７】
前記パーソナルコンピュータＰＣの前記ハードディスクドライブには、キーボード２やマウス３等からの入力に応じて処理を行い、ディスプレイ１に表示を行う図示しないオペレーティングシステム（ＯＳ、基本ソフトウェア）や文献管理プログラム（アプリケーションソフトウェア、文献情報表示プログラム）ＡＰ１、その他の図示しないアプリケーションプログラム（例えば、ワープロソフトウェアやブラウザソフトウェア等）が記録されている。前記パーソナルコンピュータＰＣは、次の各機能実現手段（プログラムモジュール）を有している。
【００２８】
Ｃ１：文献情報蓄積手段
文献情報蓄積手段Ｃ１は、文献を識別する文献識別情報と、予め設定された特定の図面である代表図面を含む１または複数の図面と、を有する文献の情報を蓄積（記憶する）。なお、実施例１の文献情報蓄積手段Ｃ１は、前記文献として、特許、実用新案、意匠、商標の工業所有権関係の手続書類（出願書類や公開公報、中間手続書類等）の情報（データ）を記憶する。これらの他にも、出願前検討時の参考図面や書類等の情報も記憶されている。そして、前記文献識別情報として、各手続書類に付された「出願番号」および「整理番号」を使用している。また、前記代表図面としては、特許実用新案の要約書に記載された選択図面や商標、意匠図面の正面図等が自動的に設定、記憶されている。
【００２９】
図２は、実施例1の文献管理データベースが記憶するデータの説明図である。
前記文献管理プログラムＡＰ１は、以下の機能実現手段（プログラムモジュール）を有している。
Ｃ１１：文献管理データベース（蓄積先特定情報記憶手段）
文献管理データベースＣ１１は、前記文献情報蓄積手段Ｃ１に記憶された各文献を、前記文献識別情報に基づいて分類し、各文献の蓄積先を特定するデータベース用レコード（蓄積先特定情報）を記憶する。図２において、実施例１の文献管理データベースＣ１１は、前記文献情報蓄積手段Ｃ１に蓄積された情報の複製データではなく、データベースの登録番号（図２ではレコード番号）と、文献識別情報（図２では出願番号および整理番号）と、共通の文献識別情報を有する各書類や図面等の文献データの蓄積先（蓄積されたアドレス）を特定するリンク情報（例えば、Ｃ：￥ａａａ￥ｂｂｂ．ｈｔｍｌ、図２ではＨＴＭＬ形式の書類データのＨＴＭＬリンクパスおよび図面のイメージリンクパス）等を有するレコードを記憶する。したがって、実施例１の文献管理データベースでは、共通の文献識別情報（キー項目）で分類された一群の文献が、１つのデータベース用レコードに登録されている。
【００３０】
Ｃ１２：文献登録手段
文献登録手段Ｃ１２は、前記文献情報蓄積手段Ｃ１に蓄積された文献のデータから、前記文献管理データベースＣ１１での記憶に必要なデータを抽出して、前記文献管理データベースＣ１１に登録する。なお、実施例１の文献登録手段Ｃ１２は、手続書類だけでなく、出願前検討時の参考図面や写真等も、該当する文献に関連する図面として登録することができる。
Ｃ１３：文献検索手段
文献検索手段Ｃ１２は、前記文献管理データベースＣ１１に登録されたデータベース用レコードを参照して文献の検索を行う。
なお、前記文献管理データベースや文献登録手段、文献検索手段は従来公知（例えば、特許文献１，２等参照）であり、種々の構成を採用可能である。
【００３１】
図３は実施例１の文献情報表示画像としての文献管理データベース画像の説明図である。
図４は図３の文献管理データベース画像において、整理番号を使用して検索を実行した状態の文献管理データベース画像の説明図である。
Ｃ１４：文献情報表示手段
文献情報表示手段Ｃ１４は、前記文献情報蓄積手段Ｃ１に蓄積された文献の情報を表示する文献情報表示画像としての文献管理データベース画像１１（図３、図４参照）をディスプレイ１に表示する。図３，図４において、実施例１の文献情報表示画像１１には、文献に関する情報が表示される文献情報表示欄１２や、代表図面が表示される代表図面表示欄１４を有する。図３に示すように、文献識別情報としての整理番号を入力する整理番号入力欄（検索条件入力欄）１２ａに入力を行い、検索を実行すると、図４に示すように、前記整理番号で分類され文献管理データベースＣ１１に登録された文献の情報が文献情報表示欄１２に表示され、代表図面が代表図面表示欄１４に表示される。検索は、整理番号入力欄１２ａから他の入力欄にカーソルが移動したことをシステムが検知した場合や、整理番号入力欄１２ａで整理番号を入力後、キーボード２のリターンキー（入力決定キー）が押されたことをシステムが検知すると開始される。なお、文献管理データベース画像１１に検索用のボタン（釦、アイコン）を設け、検索用釦をクリックすることで検索を開始させることも可能であるが、この釦を設けないほうが操作性が高まる。なお、前記代表図面表示欄１４には、検索された文献と同じ整理番号で文献管理データベースＣ１１に登録されている図面（手続書類に含まれる図面だけでなく、参考図面等も含む）、を一覧表示させるための一覧表示アイコン１４ａ（図３、図４において「全図」のアイコン）と、代表図面を拡大表示する拡大表示アイコン１４ｂ（図３、図４において「拡大」のアイコン）とが設けられている。
【００３２】
Ｃ１５：一覧表示入力判別手段
一覧表示入力判別手段Ｃ１５は、前記文献に含まれる全ての図面を一覧表示（サムネイル表示）するための一覧表示入力がされたか否かを判別する。実施例１の一覧表示入力判別手段Ｃ１５は、前記一覧表示アイコン１４ａを選択する入力がされたか否かを判別することにより、一覧表示入力がされたか否かを判別する。
【００３３】
図５は実施例１の図面一覧表示画像としてのサムネイル表示画像の説明図である。
Ｃ１６：サムネイル表示手段（一覧表示画像表示手段）
サムネイル表示手段Ｃ１６は、図面抽出手段Ｃ１６Ａと、サムネイル画像作成手段Ｃ１６Ｂとを有し、前記文献に含まれる全ての図面を一覧表示する図面一覧表示画像２１をディスプレイ１に表示する。実施例１のサムネイル表示手段Ｃ１６は、図面一覧表示画像として、各図面を縮小して簡易表示するサムネイル表示画像２１を使用し、前記文献管理データベース画像１１とは別ウィンドウで表示する。図５において、前記サムネイル表示画像２１は、各図面毎に区分けされた図面表示画像２１ａと、サムネイル表示画像２１をスクロールさせるためのスクロール画像２１ｂと、サムネイル表示画像２１（ウィンドウ）を閉じるための閉じ指定画像２１ｃとを有する。
【００３４】
Ｃ１６Ａ：図面抽出手段
図面抽出手段Ｃ１６Ａは、前記データベース用レコードに基づいて、文献管理データベース画像１１に表示された文献に関連づけて登録されている全ての図面を抽出する。
Ｃ１６Ｂ：サムネイル画像作成手段
サムネイル画像作成手段Ｃ１６Ｂは、前記図面抽出手段Ｃ１６Ａにより抽出された全ての図面のリンク先の画像データに基づいて、各図面の図面表示画像２１ａを作成する。なお、実施例１のサムネイル画像作成手段Ｃ１６Ｂは、画像データのデータ形式（ＪＰＥＧ形式やビットマップ形式等）を自動的に検出し、サムネイル表示画像の画像データ形式に変換する。
Ｃ１７：図面選択判別手段
図面選択判別手段Ｃ１７は、前記サムネイル表示画像（図面一覧表示画像）２１に表示された全ての図面の中のいずれか一つの図面が選択されたか否かを判別する。実施例１の図面選択判別手段Ｃ１７は、前記サムネイル表示画像２１において、ユーザがマウス３を操作して、いずれか一つの図面表示画像２１ａ上にカーソルを合わせてクリック操作をしたことが検出された場合に、前記いずれか一つの図面が選択されたものと判別する。
【００３５】
図６は、実施例１の拡大表示画像の説明図である。
Ｃ１８：拡大表示画像表示手段
拡大表示画像表示手段Ｃ１８は、選択図面抽出手段Ｃ１８Ａと、拡大表示画像作成手段Ｃ１８Ｂとを有し、前記図面選択判別手段Ｃ１７の判別により選択された前記図面を拡大表示する拡大表示画像３１をディスプレイ１に表示する。図６において、実施例１の拡大表示画像表示手段Ｃ１８は、前記拡大表示画像３１を、前記文献管理データベース画像１１およびサムネイル表示画像２１とは別ウィンドウで表示する。前記拡大表示画像３１は、拡大図面画像３１ａと、図面を印刷するための印刷アイコン画像３１ｂと、拡大表示画像３１（ウィンドウ）を閉じるための閉じ指定画像３１ｃとを有する。
【００３６】
Ｃ１８Ａ：選択図面抽出手段
選択図面抽出手段Ｃ１８Ａは、前記データベース用レコードに基づいて、拡大表示するために選択された図面を抽出する（特定する）。
Ｃ１８Ｂ：拡大表示画像作成手段
拡大表示画像作成手段Ｃ１８Ｂは、抽出された選択図面のリンク先の画像データに基づいて、拡大表示画像３１の拡大図面画像３１ａを作成する。
【００３７】
（フローチャートの説明）
図７は実施例１の文献情報表示システムの文献管理プログラムの文献情報管理処理のフローチャートである。
図７のフローチャートの各ＳＴ（ステップ）の処理は、文献管理プログラムＡＰ１に従って行われる。また、この処理はパーソナルコンピュータ（文献情報表示装置）ＰＣの他の各種処理と並行して実行される。
図７に示すフローチャートは文献情報管理プログラムの起動により開始される。
【００３８】
図７のＳＴ１において、文献管理データベース画像１１をディスプレイ１に表示する。そして、ＳＴ２に進む。
ＳＴ２において、検索を実行する入力がされたか否かを判別する。イエス（Ｙ）の場合はＳＴ３に進み、ノー（Ｎ）の場合はＳＴ５に進む。
ＳＴ３において、データベース用レコードに基づいて、入力に対応する文献情報の検索を実行する。そして、ＳＴ４に進む。
ＳＴ４（文献情報表示ステップ）において、検索された文献の登録データに応じて文献管理データベース画像１１を更新する。そして、ＳＴ２に戻る。
【００３９】
ＳＴ５（一覧表示入力判別ステップ）において、文献管理データベース画像１１の一覧表示アイコン１４ａ（「全図」のアイコン）の入力がされたか否かを判別する。イエス（Ｙ）の場合はＳＴ６に進み、ノー（Ｎ）の場合はＳＴ９に進む。
ＳＴ６において、文献管理データベース画像１１に表示されている文献に関連づけて登録されている全図面を抽出する。そして、ＳＴ７に進む。
ＳＴ７において、抽出された図面毎に図面表示画像２１ａを作成し、図面表示画像２１ａが配置されたサムネイル表示画像（サムネイル表示ウィンドウ）２１を作成する。そして、ＳＴ８に進む。
ＳＴ８（一覧表示画像表示ステップ）において、サムネイル表示画像２１をディスプレイ１に表示する。そして、ＳＴ２に戻る。
【００４０】
ＳＴ９（図面選択判別ステップ）において、サムネイル表示ウィンドウ２１で、図面（図面表示画像２１ａ）を選択する入力がされたか否かを判別する。イエス（Ｙ）の場合はＳＴ１０に進み、ノー（Ｎ）の場合はＳＴ１２に進む。
ＳＴ１０において、選択された図面の拡大図面画像３１ａを作成し、ＳＴ１１に進む。
ＳＴ１１（拡大表示画像表示ステップ）において、作成された拡大図面画像３１ａを含む拡大表示画像（拡大表示ウィンドウ）３１をディスプレイ１に表示する。そして、ＳＴ２に戻る。
【００４１】
ＳＴ１２において、その他の入力がされたか否かを判別する。すなわち、サムネイル表示ウィンドウ２１において、スクロールさせる入力（スクロール画像２１ｂの入力）や、サムネイル表示ウィンドウ２１や拡大表示ウィンドウ３１を閉じる入力（閉じ指定画像２１ｃ、３１ｃの入力）、印刷アイコン画像３１ｂの入力、あるいは、文献の新規登録や図面の新規登録等の入力がされたか否かを判別する。イエス（Ｙ）の場合はＳＴ１３に進み、ノー（Ｎ）の場合はＳＴ１４に進む。
ＳＴ１３において、入力に応じた処理を実行し、表示画像１１，２１，３１を更新する。そして、ＳＴ２に戻る。
ＳＴ１４において、文献管理プログラムＡＰ１を終了する入力がされたか否かを判別する。ノー（Ｎ）の場合はＳＴ２に戻り、イエス（Ｙ）の場合は図７の文献情報管理処理を終了する。
【００４２】
（実施例１の作用）
前記構成を備えた実施例１の文献情報表示システムとしての文献管理システムでは、検索により文献管理データベース画像１１に文献情報が表示された状態（図４に示す状態）で、一覧表示アイコン１４ａの入力がされるとサムネイル表示画像２１が表示される（図５参照）。したがって、表示された文献に関連づけて登録されている全ての図面がサムネイル表示（簡易一覧表示）される。したがって、ユーザは、所望の図面を閲覧するために、文献のＨＴＭＬデータを開き、スクロールを何度も繰り返す必要が無く、少ない操作でサムネイル表示画像２１を表示し、所望の図面を閲覧することができる。この結果、図面を閲覧する際のユーザの利便性が向上する。
【００４３】
また、実施例１の文献情報表示システムでは、サムネイル表示画像２１でいずれか一つの図面が選択されると、その図面が拡大表示される。したがって、ユーザは、サムネイル表示画像２１で簡易表示された図面の中から、所望の図面を選択して拡大表示し、閲覧、印刷することができる。この結果、ユーザの利便性はさらに向上する。
さらに、実施例１の文献情報表示システムでは、出願書類等の文献に含まれず図面だけでなく、出願前検討時の参考図面や写真等の関連する図面も登録でき、その図面もサムネイル表示画像２１に一覧表示される。これらの図面は、従来は手続書類とは別のデータであり、個別に閲覧する必要があったが、実施例１の文献情報表示システムでは、ユーザが登録しておけば図面を抽出する際に自動的に抽出され、一覧表示される、したがって、ユーザは、これらの図面も容易に閲覧できるので、利便性はさらに向上する。
【産業上の利用可能性】
【００４４】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更例（Ｈ01）〜（Ｈ00）を下記に例示する。
（Ｈ01）前記実施例において、文献情報表示システムにおいて、パーソナルコンピュータのみを使用したが、これに限定されず、例えば、ＬＡＮ（ローカルエリアネットワーク）や公衆通信回線（インターネット回線等）を介して接続されたサーバやパーソナルコンピュータ等に、文献情報蓄積手段Ｃ１を設け、パーソナルコンピュータＰＣに組み込まれた文献管理プログラムＡＰ１との間で必要に応じて情報の送受信を行う文献情報表示システムとすることも可能である。あるいは、文献管理プログラムＡＰ１の各プログラムモジュールを別々の装置に分散して設けることも可能である。また、文献情報蓄積手段Ｃ１や文献管理プログラムＡＰ１をサーバ装置に記憶させ、ユーザはインターネットを介してアクセスして、各処理はサーバ装置側で全て行い、情報の入力と出力表示のみをユーザのパーソナルコンピュータで行うように構成することも可能である。
【００４５】
（Ｈ02）前記実施例において、一覧表示アイコン１４ａを使用したが、アイコンを使用せず、所定のコマンド入力やコマンド選択により一覧表示の入力を行う用に構成することも可能である。
（Ｈ03）前記実施例において、一覧表示画像としてサムネイル表示画像を使用したが、これに限定されず、全ての図面を元画像のデータのまま一覧表示するように構成することも可能である。
（Ｈ04）前記実施例において、サムネイル表示画像と拡大表示画像を別ウィンドウにしたが、これに限定されず、例えば、同一ウィンドウ内に横に並べて配置することも可能である。
【００４６】
（Ｈ05）前記実施例において、データベース用レコードを使用して文献情報の管理を行ったが、これに限定されず、文献情報蓄積手段Ｃ１に蓄積された文献情報を直接取り扱うように構成することも可能である。
（Ｈ06）前記実施例において、工業所有権関係の手続書類を表示対象の文献としたが、これに限定されず、図面を含むその他の文献に対して適用可能である。
（Ｈ07）本明細書中、代表図面という文言を用いているが、これは必ずしも出願の際の代表図面の意ではなく、図が１つの場合はこの図が代表図面となり、図面が複数ある場合は、選ばれた特定の図面乃至ＨＴＭＬ文書中に現れる最初の図面であってもよい。
【図面の簡単な説明】
【００４７】
【図１】図１は、本発明の実施例１の技術文献情報表示システムを構成する文献情報表示装置の機能をブロック図（機能ブロック図）で示した図である。
【図２】図２は、実施例1の文献管理データベースが記憶するデータの説明図である。
【図３】図３は実施例１の文献情報表示画像としての文献管理データベース画像の説明図である。
【図４】図４は図３の文献管理データベース画像において、整理番号を使用して検索を実行した状態の文献管理データベース画像の説明図である。
【図５】図５は実施例１の図面一覧表示画像としてのサムネイル表示画像の説明図である。
【図６】図６は、実施例１の拡大表示画像の説明図である。
【図７】図７は実施例１の文献情報表示システムの文献管理プログラムの文献情報管理処理のフローチャートである。
【符号の説明】
【００４８】
１…ディスプレイ
２…キーボード
３…マウス
１１…文献情報表示画像
１２…文献情報表示欄
１４…代表図面表示欄
１４ａ…一覧表示アイコン
１４ｂ…拡大表示アイコン
２１…図面一覧表示画像
２１ａ…図面表示画像
２１ｂ…スクロール画像
２１ｃ…閉じる指定画像
３１…拡大表示画像
３１ａ…拡大図面画像
３１ｂ…印刷アイコン画像
３１ｃ…閉じる指定画像
ＡＰ１…文献情報表示プログラム
Ｃ１…文献情報蓄積手段
Ｃ１１…蓄積先特定情報記憶手段
Ｃ１２…文献検索手段
Ｃ１２…文献登録手段
Ｃ１４…文献情報表示手段
Ｃ１５…一覧表示入力判別手段
Ｃ１６…一覧表示画像表示手段
Ｃ１６Ａ…図面抽出手段
Ｃ１６Ｂ…一覧表示画像作成手段
Ｃ１７…図面選択判別手段
Ｃ１８…拡大表示画像表示手段
Ｃ１８Ａ…選択図面抽出手段
Ｃ１８Ｂ…拡大表示画像作成手段
ＰＣ…パーソナルコンピュータ
【図１】
2006260175.tif 000003
【図２】
2006260175.tif 000004
【図３】
2006260175.tif 000005
【図４】
2006260175.tif 000006
【図５】
2006260175.tif 000007
【図６】
2006260175.tif 000008
【図７】
2006260175.tif 000009